(57)【要約】【課題】システム環境の修正が発生したときにその修正内容をコンピュータシステムから出力し、出力したデータをコンピュータシステムの環境設計書の形式に変換することで、設計書の修正に要する作業負担を軽減する環境設計情報管理システムを提供する。【解決手段】開発サーバ２０２と、設計情報管理サーバ２０９と、設計情報入出力端末２１２とが、通信自在に接続される環境設計情報管理システムであって、設計情報管理サーバ２０９は、設計情報入出力端末２１２からの要求に基づき、環境情報ＤＢ２０４を検索する手段と、検索情報が存在しない場合、開発サーバ２０２に接続して環境情報を取得する手段と、検索情報が存在した場合、環境情報ＤＢ２０４の環境情報と設計情報ＤＢ２０５の環境設計情報とを比較する手段と、比較結果から差異情報を作成する手段と、作成した差異情報を基に設計情報ＤＢ２０５の内容を修正する手段等を備える。【選択図】図１
2010072987.tif 000002
【特許請求の範囲】
【請求項１】
コンピュータシステムのサーバと、
前記コンピュータシステムのサーバの環境情報を保存する環境情報データベース、コンピュータシステムの環境設計情報を保存する設計情報データベース、及び、環境情報と環境設計情報との差異情報を管理する差異情報データベースを備えた設計情報管理サーバと、
前記設計情報管理サーバから受信する環境設計情報を帳票の形にしてプリンタに印刷させる設計情報入出力端末とが、通信自在に接続される環境設計情報管理システムであって、
前記設計情報管理サーバは、前記設計情報入出力端末からの環境情報検索要求に基づき、前記環境情報データベースを検索する手段と、
検索する情報が存在しない場合、前記コンピュータシステムのサーバに接続して前記環境情報を取得する取得手段と、
前記取得手段で取得した環境情報を前記環境情報データベースに記憶する手段と、
検索する情報が存在した場合、前記環境情報データベースの環境情報と前記設計情報データベースの環境設計情報とを比較する手段と、
前記比較手段で比較した結果から環境情報と環境設計情報との差異を抽出して差異情報を作成する作成手段と、
前記作成手段で作成した差異情報を基に前記設計情報データベースの内容を修正する手段と、
前記差異情報にサーバ識別情報、ソフトウェア識別情報、及び、データ作成日情報を付加して前記差異情報データベースに記憶する手段と、
前記設計情報入出力端末からサーバ識別情報を含む環境設計情報出力要求を受信すると、前記設計情報データベースから前記サーバ識別情報を持つ環境設計情報を読み出す手段と、
読み出した環境設計情報を前記設計情報入出力端末に送信する手段とを備え、
前記設計情報入出力端末は、コンピュータシステムの環境設計情報を登録する登録処理手段と、
コンピュータシステムのサーバ識別情報が外部入力されると、入力されたサーバ識別情報を持つ環境設計情報出力要求を前記設計情報管理サーバに送信する帳票出力指示手段と、
前記設計情報管理サーバから前記環境設計情報を受信すると、前記環境設計情報を帳票形式に加工する帳票作成手段と、
前記帳票作成手段で作成した帳票をプリンタに印刷させる印刷出力手段とを備えたことを特徴とする環境設計情報管理システム。
【発明の詳細な説明】
【技術分野】
【０００１】
本発明は、コンピュータシステムにおいて、環境変更作業を行なった際に変更した内容をシステムの環境設計情報に自動で反映する環境設計情報管理システムに関するものである。
【背景技術】
【０００２】
コンピュータシステムの環境構築作業において、テストを行なった結果、最初に実施した設計内容に不備があり、環境設計からやり直す場合がある。
「環境設計⇒環境構築(変更)⇒テスト」のサイクルを繰り返し実施する場合になったとき、その都度、環境設計書の内容を目視で確認して手で修正していく作業が発生して、作業者の負担が大きくなる。
図１３は従来の環境設計情報管理システムのブロック構成図であり、コンピュータシステムで設定されている環境の情報を生成する環境情報生成部１０１と、その情報を管理する環境情報保存部１０３、コンピュータシステムの環境設計情報を登録する設計情報登録部１０２と設計情報を管理する設計情報保存部１０４、環境情報と環境設計情報との内容を比較する環境情報・設計情報比較部１０５、比較した結果を差異情報に変換する差異情報生成部１０６、その差異情報を保存する差異情報保存部１０７、差異情報の内容を設計情報保存部１０４に反映させる設計情報反映部１０８、環境情報や設計情報、差異情報をデータファイルに出力する環境情報出力部１０９、設計情報出力部１１０、差異情報出力部１１１で構成されている。
【０００３】
このような構成の環境設計情報管理システムにおいては、環境変更作業が発生したとき、環境情報生成部１０１から環境情報保存部１０３にアクセスして変更した内容を登録する。その生成作業を契機に環境情報・設計情報比較部１０５を実行して環境情報保存部１０３と設計情報保存部１０４との内容を比較して、差異があったデータを抽出して差異情報生成部１０６に引き渡して差異情報保存部１０７にデータを登録する。
差異情報保存部１０７にデータが登録されたことを契機に、設計情報反映部１０８を実行して登録された差異情報を設計情報保存部１０４に登録する。
環境情報出力部１０９からは環境設計書のデータファイルが、差異情報出力部１１１から環境設計書の変更履歴をデータファイルで出力することで環境設計書の作成、メンテナンス作業を支援する。
なお、本発明に関連する公知技術文献としては下記の特許文献１がある。特許文献１には、プログラム作成工程における前段工程の設計情報から後段工程の設計情報を自動的に作成することができると共に、設計情報の品質を向上させることにより、プログラムの品質の向上を実現することが可能な設計情報管理装置が記載されている。
【特許文献１】特開２０００−３２７５号公報
【発明の開示】
【発明が解決しようとする課題】
【０００４】
コンピュータシステムを開発するとき、システム環境の設計を行い、それを基にコンピュータシステムの環境を構築し、その環境が正しく動作するかを検証するためにテストを実施する。テストを実施した結果、システムの動作に不具合が発生した場合、最初に行ったシステム環境の設計内容を見直して修正を行い、それをシステム環境に反映してテストを実施して設計した内容の検証を行う。
短い期間でコンピュータシステムを提供することを求められる場合、システム環境の設計内容を見直した結果を、設計書に反映する前にシステム環境を修正する作業を行うことがある。その場合、頻繁にシステム環境の修正が発生して、修正した内容をシステム環境の設計書に反映するために作業する人間を増やすこと、または作業する人間の作業時間を増やすことが必要となる。
【０００５】
以上の現状に鑑み、本発明は、システム環境の修正が発生したときにその修正内容（設定項目とその設定値）をコンピュータシステムから出力し、出力したデータをコンピュータシステムの環境設計書の形式に変換することで、設計書の修正に要する作業負担を軽減する環境設計情報管理システムを提供することを目的とする。
【課題を解決するための手段】
【０００６】
上記の課題を解決すべく、本発明は以下の構成を提供する。
請求項１に係る発明は、コンピュータシステムのサーバと、
前記コンピュータシステムのサーバの環境情報を保存する環境情報データベース、コンピュータシステムの環境設計情報を保存する設計情報データベース、及び、環境情報と環境設計情報との差異情報を管理する差異情報データベースを備えた設計情報管理サーバと、
前記設計情報管理サーバから受信する環境設計情報を帳票の形にしてプリンタに印刷させる設計情報入出力端末とが、通信自在に接続される環境設計情報管理システムであって、
前記設計情報管理サーバは、前記設計情報入出力端末からの環境情報検索要求に基づき、前記環境情報データベースを検索する手段と、
検索する情報が存在しない場合、前記コンピュータシステムのサーバに接続して前記環境情報を取得する取得手段と、
前記取得手段で取得した環境情報を前記環境情報データベースに記憶する手段と、
検索する情報が存在した場合、前記環境情報データベースの環境情報と前記設計情報データベースの環境設計情報とを比較する手段と、
前記比較手段で比較した結果から環境情報と環境設計情報との差異を抽出して差異情報を作成する作成手段と、
前記作成手段で作成した差異情報を基に前記設計情報データベースの内容を修正する手段と、
前記差異情報にサーバ識別情報、ソフトウェア識別情報、及び、データ作成日情報を付加して前記差異情報データベースに記憶する手段と、
前記設計情報入出力端末からサーバ識別情報を含む環境設計情報出力要求を受信すると、前記設計情報データベースから前記サーバ識別情報を持つ環境設計情報を読み出す手段と、
読み出した環境設計情報を前記設計情報入出力端末に送信する手段とを備え、
前記設計情報入出力端末は、コンピュータシステムの環境設計情報を登録する登録処理手段と、
コンピュータシステムのサーバ識別情報が外部入力されると、入力されたサーバ識別情報を持つ環境設計情報出力要求を前記設計情報管理サーバに送信する帳票出力指示手段と、
前記設計情報管理サーバから前記環境設計情報を受信すると、前記環境設計情報を帳票形式に加工する帳票作成手段と、
前記帳票作成手段で作成した帳票をプリンタに印刷させる印刷出力手段とを備えたことを特徴とする環境設計情報管理システムを提供するものである。
【発明の効果】
【０００７】
本発明の環境設計情報管理システムによれば、次のような効果がある。
（１）コンピュータシステムのサーバ環境情報を設計情報管理サーバの環境情報取得手段により自動で作成することで、コンピュータシステムのサーバに接続して環境情報の確認作業をする必要なく容易に環境情報を利用できる。
（２）設計情報管理サーバの設計情報修正手段によりコンピュータシステムの環境設計情報を修正することによって、サーバ環境情報とシステム環境設計情報との間に情報不整合が発生することを防ぐことができる。
【発明を実施するための最良の形態】
【０００８】
以下、実施例を示した図面を参照しつつ本発明の実施の形態を説明する。
尚、上記各サーバはコンピュータであり、上記各手段は、各サーバのＣＰＵが必要なコンピュータプログラムを読み込んで実行することにより実現される手段であり、そのフローチャートが図９乃至図１１である。
図１は、本発明の環境設計情報管理システムの実施の形態の一例を示すシステム構成図であり、環境設計情報管理システムは、環境情報生成部２０１を備えた、コンピュータシステムのサーバである開発サーバ２０２と、環境情報生成部２０１に接続して環境情報を収集する環境情報収集部２０３と、この環境情報収集部２０３で作成した環境情報を保存する環境情報データベース２０４と、この環境情報データベース２０４から環境情報を取得し、コンピュータシステムの環境設計情報を保存する設計情報データベース２０５にある環境設計情報と比較して環境情報と環境設計情報との差異情報を作成する差異情報生成部２０６と、この差異情報生成部２０６で作成した差異情報を保存する差異情報データベース２０７と、この差異情報データベース２０７から差異情報を取得して設計情報を作成する設計情報反映部２０８を備えた設計情報管理サーバ２０９と、設計情報データベース２０５に設計情報を登録する設計情報登録部２１０と、設計情報データベース２０５から環境設計情報を作成する設計情報出力部２１１を備えた設計情報入出力端末２１２とから構成され、この設計情報入出力端末２１２は構内ネットワークと接続する。この構内ネットワークには、開発サーバ２０２と設計情報管理サーバ２０９も接続されている。
【０００９】
設計情報入出力端末２１２に具備した設計情報出力部２１１で作成された環境設計情報はプリンタ２１３に送信して印刷される。
環境情報データベース２０４に格納されるサーバ環境情報は、図２（ａ）に示すように、マシン名３０１、製品番号３０２、製品名称３０３、設定項目３０４、設定値３０５、更新日時３０６、更新者コード３０７の各エリアデータから構成される。このうち、マシン名３０１と製品番号３０２がサーバ環境識別情報３０８を構成し、マシン名３０１と製品番号３０２の組み合わせによってサーバ環境情報を特定するようになっている。
環境情報データベース２０４に格納されるシステム利用者氏名情報は、図２（ｂ）に示すように、氏名コード３０９、氏名３１０、パスワード３１１、権限レベル３１２の各エリアデータから構成され、氏名コード別に、氏名、パスワードが登録される。
【００１０】
設計情報データベース２０５に格納されるシステム設計情報は、図３に示すように、マシン名４０１、製品番号４０２、製品名称４０３、製品区分４０４、設定項目４０５、初期値４０６、設定値４０７、コメント４０８、更新日時４０９、更新者コード４１０、承認日時４１１、承認者コード４１２、承認フラグ４１３の各エリアデータから構成される。このうち、マシン名４０１、製品番号４０２がシステム設計情報識別情報４１３を構成し、マシン名４０１と製品番号４０２の組み合わせによってシステム設計情報を特定するようになっている。
【００１１】
差異情報データベース２０７に格納されるシステム環境変更履歴情報は、図４に示すように、マシン名５０１、製品番号５０２、製品名称５０３、設定項目５０４、旧設定値５０５、新設定値５０６、コメント５０７、作成日時５０８、作成者コード５０９、承認日時５１０、承認者コード５１１の各エリアデータから構成される。このうち、マシン名５０１、製品番号５０２、承認日時５１０が環境変更履歴識別情報５１２を構成し、マシン名５０１、製品番号５０２と作成日時５０８の組み合わせによって環境変更履歴情報を特定するようになっている。
【００１２】
設計情報登録部２１０は、図５(ａ)に示すような環境情報を検索する画面と図５(ｂ)に示すような環境情報を差異情報に反映する画面、図６に示すような差異情報を指定する画面、図７(ａ)に示すような差異情報の承認を依頼する画面と図７（ｂ）に示すような差異情報の承認を行なう画面で構成される。
環境情報を検索する画面は、検索キー指定欄６０１と検索ボタン６０２で構成される。検索キーの指定欄６０１にはマシン名６０１１と製品番号６０１２を入力する。環境情報を差異情報に反映する画面は、環境情報の一覧６０３と更新ボタン６０４で構成される。環境情報の一覧６０３には製品番号６０３１と製品名称６０３２、更新日時６０３３、更新者名６０３４が表示されていて、チェックボックス６０３５で差異情報に反映する環境情報を選択する。チェックボックスにすることで複数の環境情報を選択して反映処理が行なうことができる。
【００１３】
差異情報を指定する画面は、差異情報の一覧７０１と承認依頼ボタン７０２、承認チェックボタン７０３で構成される。差異情報の一覧７０１には製品番号７０１１と製品名称７０１２、作成日時７０１３、更新者名７０１４、ステータス７０１５が表示されていて、ラジオボタン７０１６で承認依頼または承認チェックを行なう差異情報を選択する。ラジオボタンなので選択できる差異情報は１つに限定する。
差異情報の承認依頼を行なう画面は、差異情報の一覧８０１と製品区分欄８０２、承認依頼ボタン８０３で構成される。差異情報の一覧では設定項目８０１１と新旧の設定値８０１２、コメント８０１３が表示されていて、コメント８０１３には設定項目８０１１の設定値を変更した理由などを入力する。製品区分８０２では基本ソフトやデータベース、運用管理ソフトウェアといった区分情報からどれに該当するかをプルダウンメニュー形式にて指定する。
【００１４】
差異情報の承認を行なう画面は、承認する対象となる差異情報８０４と承認ボタン８０５と却下ボタン８０６で構成される。差異情報８０４は差異情報データベース２０７から引き出したマシン名８０４１、製品名称８０４２、製品区分８０４３、設定項目８０４４、旧設定値８０４５、新設定値８０４６、コメント８０４７を表示する。
設計情報出力部２１１では、図８に示すような設計情報を出力する画面で構成される。設計情報を出力する画面は、出力対象指定欄９０１と設計情報選択欄９０２、帳票出力ボタン９０３で構成される。出力対象指定欄９０１には出力対象となる設計情報マシン名９０１１と製品番号９０１２を指定する。設計情報選択欄９０２には環境設計情報チェックボックス９０２１と環境変更履歴情報チェックボックス９０２２があり、設計書データまたは設計変更履歴データのいずれかを選択して出力できる。
【００１５】
以下、以上のように構成された環境設計情報管理システムの動作を説明する。
図９は、設計情報登録部２１０の環境情報作成処理の概要を示すフローチャートである。
設計情報登録部２１０は、まず、検索キー指定欄６０１にマシン名と製品番号を入力して検索ボタン６０２を押し（ステップ１００１）、検索キー指定欄６０１に入力したマシン名６０１１、製品番号６０１２と環境情報データベース２０４に格納しているマシン名３０１、製品番号３０２とを比較することによって検索する（ステップ１００２）。
ステップ１００２で検索した結果、存在した場合は環境情報を差異情報に反映する画面に遷移して、ステップ１００２で検索して得た環境情報の選択を要求する（ステップ１００３）。
【００１６】
ステップ１００２で検索した結果、存在しない場合は環境情報収集部２０３を実行して環境情報生成部２０１に環境情報を作成するように要求する。環境情報生成部２０１ではソフトウェア製品が具備する設定情報出力機能で得た設定情報より環境情報データベース２０４に格納できるデータに変換する(ステップ１００４)。
ステップ１００４で作成した環境情報を、環境情報データベース２０４に格納する(ステップ１００５)。
【００１７】
ステップ１００５が終わると、環境情報収集部２０３から差異情報生成部２０６を呼び出し、環境情報データベース２０４に登録した情報を差異情報データベース２０７に格納する（ステップ１００６）。
環境情報データベース２０４の設定項目３０４、設定値３０５、更新日時３０６、更新者コード３０７を差異情報データベース２０７の設定項目４０５、設定値４０７、更新日時４０９、更新者コード４０１に格納する。
【００１８】
ステップ１００３において、環境情報を差異情報に反映する画面の環境情報の一覧６０３から差異情報データベース２０７に格納する情報に対してチェックボックス６０３５にチェックを入れて更新ボタン６０４を押し、環境情報を差異情報に反映する画面に表示された更新日時６０３３と差異情報データベース２０７の更新日時４０９とをマシン名と製品番号をキーにして比較して、「差異情報の承認日時≦環境情報の更新日時」となるデータを検索する（ステップ１００７）。
検索した結果、データが存在しない場合、差異情報データベース２０７に登録する環境情報が存在しない旨のメッセージを記載した画面を表示して、処理を終了する。
検索した結果、データが存在した場合、差異情報生成部２０６によりチェックボックス６０３５にチェックを入れた環境情報を差異情報データベース２０７に格納する（ステップ１００８）。新設定値５０６を旧設定値５０７にステップ１００２で検索した設定値４０７を新設定値５０６とする新たなデータを差異情報データベース２０７に登録する。
【００１９】
図１０は、設計情報登録部２１０の設計情報作成処理の概要を示すフローチャートである。設計情報作成処理は差異情報の承認依頼１１０１と差異情報の承認１１０２で構成される。
設計情報登録部２１０で差異情報の承認依頼を行なうには、まず、差異情報データベース２０７に接続して差異情報を読み込み差異情報を指定する画面に表示させる（ステップ１１０１１）。
差異情報を指定する画面では、差異情報データベース２０７からマシン名５０１と製品番号５０２、製品名称５０３、設定項目５０４、旧設定値５０５、新設定値５０６を取得して差異情報の一覧７０１を表示する。承認依頼の対象となる差異情報をラジオボタン７０１６で選択して、承認依頼ボタン７０２を押す。承認依頼ボタン７０２を押した結果、差異情報の承認を依頼する画面に遷移する。製品名称を見て製品区分８０２を選択して、設定値を変更した根拠などをコメント８０１３に入力した上で（ステップ１１０１２）、承認依頼ボタン８０３を押す。
ステップ１１０１２に選択・入力した製品区分８０２とコメント８０１３をマシン名と製品番号をキーに差異情報データベース２０７のデータを更新させる（ステップ１１０１３）。
設計情報登録部２１０で差異情報の承認を行なうには、差異情報を指定する画面で承認の対象となる差異情報をラジオボタン７０１６で選択して(ステップ１１０２１)、承認チェックボタン７０３を押す。
承認チェックボタン７０３を押した結果、差異情報の承認を行なう画面に遷移する。差異情報８０４の内容を確認して承認すべきかを判断する（ステップ１１０２２）、承認できる情報であった場合、承認ボタン８０５を押してマシン名８０４１、製品名称８０４２、製品区分８０４３、設定項目８０４４、新設定値８０４６、コメント８０４７を設計情報データベース２０５のマシン名４０１、製品名称４０２、製品区分４０４、設定項目４０５、設定値４０６、コメント４０７に格納する（ステップ１１０２３）。
設計情報データベース２０５にデータを格納した日時を承認日時４１１に設計情報登録部２１０にログインしていた承認者の氏名コード３０９を承認者コード４１２に格納する（ステップ１１０２４）。
【００２０】
図１１は、設計情報出力部２１１の帳票作成処理の概要を示すフローチャートである。
帳票情報出力部２１１は、まず、出力対象指定欄９０１に作成する帳票の対象となるマシン名と製品番号を入力し、設計情報選択欄９０２で「環境設計情報」を出力する場合は選択欄９０２１を、「環境変更履歴情報」を出力する場合は選択欄９０２２を選択してから、帳票出力ボタン９０３を押す（ステップ１２０１）。
次に、設計情報選択欄９０２で選択欄９０２１にチェックが入っているかを判別する（ステップ１２０２）。
判別した結果、チェックが入っているならば、マシン名入力欄９０１１に入力したマシン名と製品番号入力欄９０１２に入力した製品番号が設計情報データベース２０５のマシン名４０１、製品番号４０２と比較して、「マシン名＝マシン名４０１」「製品番号＝製品番号４０２」となるデータを検索する（ステップ１２０３）。
検索した結果、データが存在した場合、設計情報データベース２０５から「マシン名＝マシン名４０１」「製品番号＝製品番号４０２」に該当する設計情報に対して、マシン名４０１と製品名称４０３、項目名称４０５、初期値４０６、設定値４０８、コメント４０８、更新者コード４１０をキーにシステム利用者氏名情報から取得した氏名３１０、更新日時４０９、承認者コード４１２をキーにシステム利用者氏名情報から取得した氏名３１０、承認日時４１１を取得して、マシン名・製品名称別に差異情報を集計した帳票形式のデータを作成する（ステップ１２０４）。
【００２１】
次に、設計情報選択欄９０２で選択欄９０２２にチェックが入っているかを判別する（ステップ１２０５）。判別した結果、チェックが入っているならば、マシン名入力欄９０１１に入力したマシン名と製品番号入力欄９０１２に入力した製品番号が差異情報データベース２０７のマシン名５０１、製品番号５０２と比較して、「マシン名＝マシン名５０１」「製品番号＝製品番号５０２」となるデータを検索する（ステップ１２０６）。
検索した結果、データが存在した場合、差異情報データベース２０７から「マシン名＝マシン名５０１」「製品番号＝製品番号５０２」に該当する差異情報に対して、マシン名５０１と製品名称５０３、項目名称５０４、旧設定値５０５、新設定値５０６、コメント５０７、作成者コード５０９をキーにシステム利用者氏名情報から取得した氏名３１０、作成日時５０８、承認者コード５１１をキーにシステム利用者氏名情報から取得した氏名３１０、承認日時５０１を取得して、マシン名・製品名称・項目名称別に差異情報を集計した帳票形式のデータを作成する（ステップ１２０７）。
【００２２】
次に、ステップ１２０２で作成した帳票データとステップ１２０７で作成した帳票データを検索する（ステップ１２０８）。
検索した結果、データが存在しない場合、印刷できる帳票データが存在しない旨のメッセージを記載した画面を表示して、処理を終了する（ステップ１２０９）。
検索した結果、データが存在した場合、帳票データから一覧表を作成する。ステップ１２０１で選択欄９０２１を選択した場合、ステップ１２０４で作成した帳票データに対して項目名称でソートしてから環境設計情報一覧表を作成する。ステップ１２０１で選択欄９０２２を選択した場合、ステップ１２０７で作成した帳票データに対して承認日時でソートしてから環境変更履歴情報一覧表を作成する。環境設計情報一覧表は図１２（ａ）に示すように、項目名称１３０１、初期設定値１３０２、設定値１３０３、コメント１３０４で構成される。環境変更履歴情報一覧表は図１２（ｂ）に示すように、旧設定値１３０５、新設定値１３０６、コメント１３０７、承認者１３０８、承認日時１３０９で構成される。  次に、環境設計情報一覧表と環境変更履歴情報一覧表をプリンタ２１３に印刷出力する（ステップ１２１０）。
【００２３】
以上のように、本実施の形態の環境設計情報管理システムによれば、次のような効果がある。
（１）コンピュータシステムのサーバ環境情報を、設計情報管理サーバ２０９の環境情報収集部２０３にて収集することで、コンピュータシステムのサーバに接続する必要なく環境情報を確認できる。
（２）設計情報管理サーバ２０９の環境情報収集部２０３と、差異情報生成部２０６と、設計情報反映部２０８との連携により、コンピュータシステムの環境設計情報を修正することによって、サーバ環境情報とシステム環境設計情報との間に情報不整合が発生することを防ぐことができる。
【図面の簡単な説明】
【００２４】
【図１】本発明による環境設計情報管理システムの一実施の形態例を示すシステム構成図である。
【図２】（ａ）〜（ｂ）本発明による環境情報データベースに格納されているデータの構成図である。
【図３】本発明による設計情報データベースに格納されているデータの構成図である。
【図４】本発明による差異情報データベースに格納されているデータの構成図である。
【図５】（ａ）〜（ｂ）本発明による設計情報入出力端末の環境情報検索画面と差異情報更新画面の説明図である。
【図６】本発明による設計情報入出力端末の差異情報承認対象指定画面の説明図である。
【図７】（ａ）〜（ｂ）本発明による設計情報入出力端末の差異情報承認依頼画面及び差異情報承認画面の説明図である。
【図８】本発明による設計情報入出力端末の設計情報出力画面の説明図である。
【図９】本発明による設計情報管理サーバの環境情報作成処理を示すフローチャートである。
【図１０】本発明による設計情報入出力端末の設計情報作成処理を示すフローチャートである。
【図１１】本発明による設計情報入出力端末の帳票作成処理を示すフローチャートである。
【図１２】（ａ）〜（ｂ）本発明による環境設計情報一覧表及び環境変更履歴情報一覧表の具体例の説明図である。
【図１３】従来例による環境設計情報管理システムのブロック構成図である。
【符号の説明】
【００２５】
２０４  環境情報データベース
２０５  設計情報データベース
２０７  差異情報データベース
２０９  設計情報管理サーバ
２１２  設計情報入出力端末
【図１】
2010072987.tif 000003
【図２】
2010072987.tif 000004
【図３】
2010072987.tif 000005
【図４】
2010072987.tif 000006
【図５】
2010072987.tif 000007
【図６】
2010072987.tif 000008
【図７】
2010072987.tif 000009
【図８】
2010072987.tif 000010
【図９】
2010072987.tif 000011
【図１０】
2010072987.tif 000012
【図１１】
2010072987.tif 000013
【図１２】
2010072987.tif 000014
【図１３】
2010072987.tif 000015